(57)【要約】【課題】  冷蔵室の過冷却に基づく結露の発生や食品の凍結が防止でき、また冷気供給路と冷蔵室との温度差に起因する結露の発生が防止できるスターリング冷却庫を提供する。【解決手段】  スターリング冷却庫１Ａは、スターリング冷凍機に通ずることによって生成された冷気を冷蔵室５に供給する生成冷気供給路１２と、冷蔵室５内の冷気を冷蔵室５外に取り出し、スターリング冷凍機に通ずることなく再び冷蔵室５に供給する循環冷気供給路１４とを備える。生成冷気供給路１２は、その一部が冷蔵室５に沿うように延びており、冷蔵室５に面する生成冷気吹出口１２ｃを有している。循環冷気供給路１４は、生成冷気供給路１２と冷蔵室５との間に位置し、冷蔵室５に面する循環冷気吹出口１４ｃを有している。冷蔵室５は、生成冷気吹出口１２ｃから吹き出された冷気と、循環冷気吹出口１４ｃから吹き出された冷気とを混合する混合領域をその内部に有している。【選択図】        図３
2006336946.tif 000002
【特許請求の範囲】
【請求項１】
スターリング冷凍機を備えた冷却庫であって、
前記スターリング冷凍機に通ずることによって生成された冷気を冷却室に供給する生成冷気供給路と、
前記冷却室内の冷気を前記冷却室外に取り出し、前記スターリング冷凍機に通ずることなく再び前記冷却室に供給する循環冷気供給路とを備え、
前記生成冷気供給路は、少なくともその一部が前記冷却室に沿うように延び、かつ前記冷却室を規定する壁面に設けられた生成冷気吹出口を有し、
前記循環冷気供給路は、前記生成冷気供給路と前記冷却室との間で前記生成冷気供給路と並行するように延び、かつ前記冷却室を規定する壁面に設けられた循環冷気吹出口を有し、
前記冷却室は、前記生成冷気吹出口から吹き出された冷気と、前記循環冷気吹出口から吹き出された冷気とを混合する混合領域をその内部に有している、スターリング冷却庫。
【請求項２】
前記冷却室を規定する前記冷却室の後背面には、前記冷却室側に向かって突出する突条部が設けられ、
前記突条部の内部には、前記生成冷気供給路と前記循環冷気供給路とが設けられ、
前記突条部の側面に、前記冷却室を規定する前記冷却室の側面に対面するように、前記生成冷気吹出口および前記循環冷気吹出口が設けられている、請求項１に記載のスターリング冷却庫。
【請求項３】
前記突条部は、その頂面の側端から前記冷却室の側面に向かって延びる仕切り板を有し、
前記仕切り板と前記冷却室の後背面との間に、前記混合領域が形成されている、請求項２に記載のスターリング冷却庫。
【請求項４】
前記仕切り板は、前記循環冷気吹出口から吹き出される冷気の風向板としての機能を有する、請求項３に記載のスターリング冷却庫。
【請求項５】
前記冷却室の後背面には、前記生成冷気吹出口から吹き出される冷気の流れ方向を変更する風向変更部が設けられ、
前記風向変更部は、前記冷却室を前方から見た場合に、前記仕切り板によって覆われている、請求項３または４に記載のスターリング冷却庫。
【発明の詳細な説明】
【技術分野】
【０００１】
本発明は、スターリング冷凍機を冷熱源として備えたスターリング冷却庫に関する。
【背景技術】
【０００２】
近年、フロンガスの地球環境への悪影響が指摘されており、フロンガスを使用しない冷却庫としてスターリング冷凍機を搭載したスターリング冷却庫が注目されている。このスターリング冷却庫は、スターリング冷凍機のコールドヘッドに生じる冷熱を用いて冷却庫内の冷蔵室や冷凍室等を冷却するものであり、スターリング冷凍機によって生成された冷気は、送風ファン等によって冷蔵室や冷凍室に供給される。このような構成のスターリング冷却庫としては、たとえば特開２００２−６２０２１号公報（特許文献１）に開示のものや、特開２００４−３７０５５号公報（特許文献２）に開示のものなどがある。
【０００３】
一方、従来のコンプレッサ式の冷却庫としては、たとえば特開２００１−１０８３５１号公報（特許文献３）に開示のものや、特開２００１−２２１５５４号公報（特許文献４）に開示のもの、あるいは特開平１０−３３９５５０号公報（特許文献５）に開示のもの等が知られている。これら特許文献３ないし５に開示の冷却庫にあっては、冷蔵室や野菜室等に代表される冷却室（ここでは貯蔵食品を凍結保存する冷凍室や製氷を行なう製氷室等は除く）内の冷気を当該冷却室の外部に一旦取り出し、取り出した冷気を冷熱源に通ずることなく冷熱源にて生成された冷気と混合し、その混合後の冷気を冷却室に供給する構成が採用されている。これにより、冷蔵室や野菜室に代表される冷却室における過冷却が防止され、この過冷却に伴って生じる冷却室の壁面における結露や貯蔵食品の意図しない凍結等の防止が図られている。
【０００４】
図１０は、上記特許文献３に開示の従来の冷却庫における冷気供給路の構成および冷気の流れを示した正面図である。また、図１１は、図１０に示す従来の冷却庫に設置される冷気取り出しのための送風ファン近傍の部分断面図である。なお、この特許文献３に開示の従来の冷却庫においては、冷蔵室の冷気を当該冷蔵室の外部に一旦取り出し、取り出した冷気を冷熱源に通ずることなく冷熱源にて生成された冷気と混合し、その混合後の冷気を冷蔵室に供給する構成のものである。
【０００５】
図１０に示すように、冷却庫１Ｆは、外箱２の内部に形成された冷蔵室５の後背面５ｂに突条部１０を有し、この突条部１０の内部には、冷熱源に通ずることによって生成された冷気を上記冷蔵室５に供給するための冷気供給路１２が設けられている。冷気供給路１２は、上下方向に延びるように設けられた一対のリブ１１ａによって中央通路１２ａと一対の側方通路１２ｂとに分岐され、側方通路１２ｂのそれぞれは、突条部１０の側面に設けられた冷気吹出口１２ｃを含み、中央通路１２ａは、突条部１０の天面に設けられた冷気吹出口１２ｄを含んでいる。中央通路１２ａの下端には、送風ファン１６が設けられており、送風ファン１６の前面には、冷蔵室５に望むファンカバー１８が取付けられている。ファンカバー１８には、複数の開口部１８ａが設けられており、これにより冷蔵室５内の空間と突条部１０内に設けられた冷気供給路１２の中央通路１２ａとが連通している。
【０００６】
図１１に示すように、上記冷却庫１Ｆにおいては、送風ファン１６の作動により、冷蔵室５内の冷気がファンカバー１８に設けられた開口部１８ａを介してを中央通路１２ａに供給され、冷熱源に通ずることによって生成されその後冷気供給路１２を通過する生成冷気と混合される。混合後の冷気は、突条部１０内に設けられた中央通路１２ａを通って冷気吹出口１２ｄより冷蔵室５へと吹き出される。これにより、冷蔵室５における過冷却を防止し、この過冷却に伴って生じる冷蔵室５の壁面における結露や貯蔵食品の意図しない凍結が防止されている。
【特許文献１】特開２００２−６２０２１号公報
【特許文献２】特開２００４−３７０５５号公報
【特許文献３】特開２００１−１０８３５１号公報
【特許文献４】特開２００１−２２１５５４号公報
【特許文献５】特開平１０−３３９５５０号公報
【発明の開示】
【発明が解決しようとする課題】
【０００７】
上述のスターリング冷凍機は、−４０℃程度の極低温の冷熱を発生させる冷熱源であり、従来のコンプレッサ式の冷凍機に比べてその冷凍能力は非常に高いものである。そのため、上述の図１０および図１１に示す如くの冷気の供給構造をそのままスターリング冷凍機を冷熱源とするスターリング冷却庫に適用した場合には、冷却室における過冷却はある程度防止できることが見込まれるものの、混合後の冷気が直ちに冷却室内の冷気温度と同程度にまで加温されるものではないため、冷気供給路を通過する混合後の冷気と冷却室内の冷気との温度差に起因して冷却室の後背面に特に顕著な結露が発生してしまうことになる。その結果、後背面に付着した結露水が背壁を伝って流下し、流下した結露水が冷却室の底板に溜まることになり、それに伴って冷却室内の空気が乾燥して食品の鮮度に悪影響を与えることとなってしまう。
【０００８】
そこで、本発明は、上述の問題を解決すべくなされたものであり、冷却室の過冷却に基づく結露の発生や食品の凍結が防止でき、また冷気供給路と冷却室との温度差に起因する結露の発生が防止できるスターリング冷却庫を提供することを目的とする。
【課題を解決するための手段】
【０００９】
本発明に基づく冷却庫は、スターリング冷凍機を備えたスターリング冷却庫であって、上記スターリング冷凍機に通ずることによって生成された冷気を冷却室に供給する生成冷気供給路と、上記冷却室内の冷気を上記冷却室外に取り出し、上記スターリング冷凍機に通ずることなく再び上記冷却室に供給する循環冷気供給路とを備えるものである。上記生成冷気供給路は、少なくともその一部が上記冷却室に沿うように延びており、上記冷却室を規定する壁面に設けられた生成冷気吹出口を有している。上記循環冷気供給路は、上記生成冷気供給路と上記冷却室との間で上記生成冷気供給路と並行するように延びており、上記冷却室を規定する壁面に設けられた循環冷気吹出口を有している。そして、上記冷却室は、上記生成冷気吹出口から吹き出された冷気と、上記循環冷気吹出口から吹き出された冷気とを混合する混合領域をその内部に有している。
【００１０】
このように構成することにより、生成冷気供給路と冷却室との間に設けられた循環冷気供給路が断熱層として機能するようになるため、生成冷気供給路を通過する極低温の生成冷気の冷熱が冷却室を規定する背壁に伝わり難くなり、冷却室の後背面における結露の発生が効果的に防止できるようになる。そのため、冷却室内における乾燥が防止でき、鮮度を損なうことなく長期間にわたって良好な状態で食品を貯蔵することが可能になる。また、生成冷気供給路を通過する極低温の生成冷気が、生成冷気供給路と循環冷気供給路とを区画する隔壁を介して、循環冷気供給路を通過する循環冷気によって加温されるとともに、冷却室内に設けられた混合領域においてこれら冷気が積極的に混合されることとなるため、冷却室における過冷却が防止でき、冷却室の壁面における結露の発生や貯蔵食品の意図しない凍結が防止できる。
【００１１】
上記本発明に基づくスターリング冷却庫にあっては、上記冷却室を規定する上記冷却室の後背面に上記冷却室側に向かって突出する突条部が設けられていることが好ましく、その場合に、この突条部の内部に上記生成冷気供給路と上記循環冷気供給路とが設けられていることが好ましい。そして、上記突条部の側面に、上記冷却室を規定する上記冷却室の側面に対面するように上記生成冷気吹出口および上記循環冷気吹出口が設けられていることが好ましい。
【００１２】
このように構成することにより、生成冷気吹出口から吹き出された生成冷気と循環冷気吹出口から吹き出された循環冷気とが、冷却室の側部後方において混合されるようになるため、貯蔵食品が主として載置される領域である冷却室中央部に向けて低温の生成冷気が直接吹き付けられることがなく、混合後の適度に加温された冷気が貯蔵食品に吹き付けられるようになり、貯蔵食品の意図しない凍結が確実に防止できる。
【００１３】
上記本発明に基づくスターリング冷却庫にあっては、上記突条部がその頂面の側端から上記冷却室の側面に向かって延びる仕切り板を有していることが好ましく、その場合に、上記仕切り板と上記冷却室の後背面との間に上記混合領域が形成されていることが好ましい。
【００１４】
このように構成することにより、冷却室内において、貯蔵食品の貯蔵領域と生成冷気および循環冷気の混合領域とを仕切り板によって確実に分離することが可能になるため、より確実に貯蔵食品の意図しない凍結を防止することができる。
【００１５】
上記本発明に基づくスターリング冷却庫にあっては、上記仕切り板が上記循環冷気吹出口から吹き出される冷気の風向板としての機能を有していることが好ましい。
【００１６】
このように構成することにより、循環冷気吹出口から吹き出される循環冷気の流れ方向を所望の方向に誘導することが可能になるため、生成冷気吹出口から吹き出される生成冷気と循環冷気吹出口から吹き出される循環冷気との混合を促進させることが可能になり、冷却室の過冷却をより確実に防止することができる。
【００１７】
上記本発明に基づくスターリング冷却庫にあっては、上記冷却室の後背面に、上記生成冷気吹出口から吹き出される冷気の流れ方向を変更する風向変更部が設けられていることが好ましく、その場合に、上記冷却室を前方から見た場合にこの風向変更部が上記仕切り板によって覆われていることが好ましい。
【００１８】
このように構成することにより、風向変更部が仕切り板によって目隠しされるようになるため、冷却室後背面に風向変更部を設けた場合にも冷却室後背面における見栄えが損なわれることがない。
【発明の効果】
【００１９】
本発明によれば、スターリング冷却庫において、冷却室の過冷却に基づく結露の発生や食品の凍結が防止でき、また冷気供給路と冷却室との温度差に起因する結露の発生が防止できるため、鮮度を損なうことなく長期間にわたって食品を良好な状態で貯蔵することが可能になる。
【発明を実施するための最良の形態】
【００２０】
以下、本発明の実施の形態について、図を参照して詳細に説明する。なお、以下に示す実施の形態は、冷蔵室および冷凍室を冷却室として備えるいわゆるスターリング冷凍冷蔵庫に本発明を適用した場合を例示するものである。
【００２１】
（実施の形態１）
図１は、本発明の実施の形態１におけるスターリング冷却庫の概略正面図であり、図２は、図１に示すＩＩ−ＩＩ線に沿ったスターリング冷却庫の概略縦断面図である。図３は、図１および図２に示すスターリング冷却庫の冷蔵室後方に設けられる冷気供給路の構成および冷気の流れを示す正面図であり、図４は、図３に示すＩＶ−ＩＶ線に沿った概略横断面図である。また、図５は、図４に示すスターリング冷却庫の冷気吹出口近傍の拡大断面図であり、冷気の流れを示す図である。
【００２２】
まず、図１および図２を参照して、本実施の形態におけるスターリング冷却庫の概略構造について説明する。図１および図２に示すように、本実施の形態におけるスターリング冷却庫１Ａは、前面開口部の直方体形状からなる外箱２を備えており、この外箱２の内部には、冷却室としての冷凍室３および冷蔵室５が設けられている。冷凍室３および冷蔵室５の前面は、上述の外箱２の前面開口部を閉塞するように断熱扉６，７がそれぞれ開閉可能に取付けられている。本実施の形態におけるスターリング冷却庫１Ａにおいては、貯蔵する食品の収容の利便性を考慮して、冷凍室３内にスライド移動自在の収容器３ａが設けられており、冷蔵室５内にスライド移動自在の収容器５ａ１および貯蔵する食品が載置可能な収容棚５ａ２がそれぞれ設けられている。
【００２３】
外箱２の後背部すなわち冷凍室３および冷蔵室５の後部の空間には、生成冷気供給路１２を含む各種ダクトが設けられている。また、上記外箱２の後背部のうちの所定の領域には、冷熱源としてのスターリング冷凍機１００が配置されている。
【００２４】
スターリング冷凍機１００は、高温の熱が発生するウォームヘッドと、極低温の冷熱が発生するコールドヘッドとを有している。ウォームヘッドには、図示しない高温側凝縮器に接続された高温側蒸発器１０２が取付けられ、これら高温側凝縮器および高温側蒸発器１０２に封入された２次冷媒によってその熱が庫外へと放熱される。一方、コールドヘッドには、低温側蒸発器１１０に接続された低温側凝縮器１０４が取付けられ、これら低温側蒸発器１１０および低温側凝縮器１０４に封入された２次冷媒によってその冷熱が低温側蒸発器１１０を囲うように設けられた冷気生成部９内の空気に伝熱される。なお、この冷気生成部９は、上述の各種ダクトの一つに相当する。
【００２５】
冷気生成部９は、生成冷気供給路１２に連通しており、この生成冷気供給路１２を介して冷凍室３および冷蔵室５に連通している。冷凍室３の下端部後方には冷気吸込口３ｃが設けられており、この冷気吸込口３ｃは冷気生成部９に連通している。一方、冷蔵室５の下端部後方には、冷気吸込口８ａが設けられており、この冷気吸込口８ａは、上述の各種ダクトの一つである冷気回収路８を介して冷気生成部９に連通している。
【００２６】
以上により、本実施の形態におけるスターリング冷却庫１Ａにおいては、冷気生成部９においてスターリング冷凍機１００の低温側蒸発器１１０に通ずることによって極低温に冷却された冷気が冷凍室３を経由して再び冷気生成部９に戻される冷凍室側冷気循環路と、冷気生成部９においてスターリング冷凍機１００の低温側蒸発器１１０に通ずることによって極低温に冷却された冷気が冷蔵室５を経由して再び冷気生成部９に戻される冷蔵室側冷気循環路とからなる２つの冷気循環路が庫内に設けられることになる。これにより、これら２つの冷気循環路内を冷気が循環することによって冷凍室３および冷蔵室５が所定の温度に維持されるようになり、これら冷凍室３および冷蔵室５に貯蔵された食品がそれぞれ冷凍および冷蔵保存されることになる。なお、上述の冷気循環路内における冷気の循環には、生成冷気供給路１２に設置された送風手段としての送風ファン２６等が利用される。
【００２７】
次に、図１ないし図５を参照して、本実施の形態におけるスターリング冷却庫の特徴的な部分である冷蔵室の後部に設けられる冷気供給路の具体的な構成について詳細に説明する。図１ないし図５に示すように、冷蔵室５の後背面５ｂには上下方向に延びる突条部１０が設けられている。突条部１０は、生成冷気供給路形成部材１１および循環冷気供給路形成部材１３によって構成されている。生成冷気供給路形成部材１１は、冷蔵室５の後背面５ｂに取付けられており、循環冷気供給路形成部材１３は、この生成冷気供給路形成部材１１を覆うように冷蔵室５の後背面５ｂに取付けられている。
【００２８】
図２、図４および図５に示すように、生成冷気供給路形成部材１１と冷蔵室５の後背面５ｂとの間には、所定の形状および大きさの隙間が上下方向に向かって設けられており、この隙間によって上述の生成冷気供給路１２の上部部分が形成されている。生成冷気供給路１２の上部部分は、スターリング冷凍機１００に通ずることによって生成された極低温の冷気を冷蔵室５に供給するための生成冷気の供給路である。一方、循環冷気供給路形成部材１３と生成冷気供給路形成部材１１との間には、所定の形状および大きさの隙間が上下方向に向かって設けられており、この隙間によって循環冷気供給路１４が形成されている。循環冷気供給路１４は、上述の２つの冷気循環路（冷凍室側冷気循環路および冷蔵室側冷気循環路）とは区別される冷気の循環路であり、具体的には、冷蔵室５内の冷気を冷蔵室５外に一旦取り出し、スターリング冷凍機１００に通ずることなく再び冷蔵室５に供給するための循環冷気の供給路である。
【００２９】
図３、図４および図５に示すように、生成冷気供給路形成部材１１には縦方向に延びるリブ１１ａが一対設けられており、この一対のリブ１１ａにより、生成冷気供給路１２の上部部分は中央通路１２ａと一対の側方通路１２ｂとに区画されている。中央通路１２ａは、その下端が上述の送風ファン２６が設置された部分の生成冷気供給路１２に接続されており、その上端が上述の一対の側方通路１２ｂに接続されている。突条部１０の両側面には、冷蔵室５の側面５ｃと対面するように生成冷気吹出口１２ｃが設けられており、これら生成冷気吹出口１２ｃを介して上述の一対の側方通路１２ｂと冷蔵室５とが連通している。
【００３０】
循環冷気供給路１４の下端には、送風ファン１６が設けられており、送風ファン１６の前方に位置する部分の循環冷気供給路形成部材１３には、冷蔵室５に望むファンカバー１８が取付けられている。ファンカバー１８には、複数の開口部１８ａが設けられており、これにより冷蔵室５内の空間と突条部１０内に設けられた循環冷気供給路１４とが連通している。突条部１０の両側面には、冷蔵室５の側面５ｃと対面するように循環冷気吹出口１４ｃが設けられており、これら循環冷気吹出口１４ｃを介して循環冷気供給路１４と冷蔵室５とが連通している。
【００３１】
図４および図５に示すように、突条部１０の外部で生成冷気吹出口１２ｃを望む部分の冷蔵室５の後背面５ｂには、生成冷気吹出口１２ｃから吹き出される生成冷気の流れ方向を変更する風向変更部１３ｃが設けられている。具体的には、突条部１０を形成する循環冷気供給路形成部材１３の側面の後端部を冷蔵室５の後背面５ｂと略平行となうように折り返し、さらにその先端部が冷蔵室５の側面５ｃに近付くにつれて徐々に前方に向かって突出するように迫り出させている。
【００３２】
以上において説明した特徴的な構成を要約すると以下の通りである。生成冷気供給路形成部材１１と冷蔵室５の後背面５ｂとによって突条部１０内に形成された生成冷気供給路１２は、冷蔵室５に沿うように延びており、かつ冷蔵室５を規定する壁面に設けられた生成冷気吹出口１２ｃを有している。また、循環冷気供給路形成部材１３と生成冷気供給路形成部材１１とによって突条部１０内に形成された循環冷気供給路１４は、生成冷気供給路１２と冷蔵室５との間で生成冷気供給路１２と並行するように延びており、かつ冷蔵室５を規定する壁面に設けられた循環冷気吹出口１４ｃを有している。そして、突条部１０の両側面には、冷蔵室５を規定する冷蔵室５の側面５ｃに対面するように生成冷気吹出口１２ｃおよび循環冷気吹出口１４ｃが設けられている。冷蔵室５の後背面には、生成冷気吹出口１２ｃから吹き出される生成冷気の流れ方向を変更する風向変更部１３ｃが設けられている。
【００３３】
次に、図３および図５を参照して、以上のように冷気供給路を構成した場合の冷気の流れについて説明する。図３に示すように、スターリング冷凍機１００の低温側蒸発器１１０に通ずることによって極低温に冷却された生成冷気は、送風ファン２６の作用によって生成冷気供給路１２内を上方に向かって搬送される。送風ファン２６が設置された部分の生成冷気供給路１２を通過した生成冷気は、突条部１０に進入して中央通路１２ａ内を上昇し、突条部１０の上部に達する。突条部１０の上部に達した生成冷気は、側方通路１２ｂへと分流され、側方通路１２ｂ内を下降する。この際、図３および図５に示すように、突条部１０の側面に設けられた生成冷気吹出口１２ｃを介して生成冷気が冷蔵室５内の空間に放出される。
【００３４】
一方、図３に示すように、送風ファン１６の作用によって突条部１０内に形成された循環冷気供給路１４内に進入した循環冷気は、循環冷気供給路１４内を上方に向かって搬送される。この際、図３および図５に示すように、突条部１０の側面に設けられた循環冷気吹出口１４ｃを介して循環冷気が冷蔵室５内の空間に放出される。
【００３５】
図３および図５に示すように、生成冷気吹出口１２ｃから吹き出された生成冷気と、循環冷気吹出口１４ｃから吹き出された循環冷気とは、突条部１０の側方の領域において混合される。図５においては、この生成冷気と循環冷気とが混合される領域を模式的に混合領域Ａとして示している。本実施の形態においては、冷蔵室５の後背面に風向変更部１３ｃが設けられているため、生成冷気吹出口１２ｃから吹き出された生成冷気は、混合領域Ａにおいて循環冷気と積極的に混ぜ合わされることになる。混合後の冷気は、冷蔵室５の側面５ｃに向かって進行し、冷蔵室５内へと拡散する。なお、拡散後の冷気の一部は、上述の冷気吸込口８ａから冷蔵室５外部へと取り出されて冷気生成部９へと送られ、また拡散後の冷気の他の一部は、送風ファン１６の作用によって循環冷気供給路１４へと吸い込まれる。
【００３６】
以上の如くの冷気供給路の構成を採用したスターリング冷却庫１Ａにおいては、生成冷気供給路１２と冷蔵室５との間に設けられた循環冷気供給路１４の存在により、この循環冷気供給路１４が断熱層として機能するため、生成冷気供給路１２を通過する極低温の生成冷気の冷熱が冷蔵室５を規定する背壁に伝わり難くなり、冷蔵室５の後背面５ｂにおける結露の発生が効果的に防止される。そのため、冷蔵室５内における乾燥が防止でき、鮮度を損なうことなく長期間にわたって良好な状態で食品を貯蔵することが可能になる。
【００３７】
また、生成冷気供給路１２を通過する極低温の生成冷気が、生成冷気供給路１２と循環冷気供給路１４とを区画する隔壁となる生成冷気供給路形成部材１１を介して、循環冷気供給路１４を通過する循環冷気によって加温されることとなるため、極低温の生成冷気が生成冷気供給路１２を通過する際に徐々に加温されて冷蔵室５内の冷気温度に近付くようになる。また、冷蔵室５に吹き出された生成冷気および循環冷気は、冷蔵室５内に設けられた混合領域において積極的に混合されることになる。そのため、冷蔵室５に吹き出された冷気が拡散し、冷蔵室に貯蔵された食品の周囲に達した時点では、冷気温度が好適な温度にまで加温されるようになり、冷蔵室５における過冷却が防止できる。したがって、冷蔵室５の壁面における結露の発生や貯蔵食品の意図しない凍結が防止できる。
【００３８】
上述した生成冷気供給路形成部材１１は、たとえば樹脂製の部材や金属製の部材によって形成されていることが好ましい。生成冷気供給路形成部材１１を樹脂製の部材にて形成した場合には、断熱効果がより高く発揮されるようになり、生成冷気供給路形成部材１１を金属製の部材にて形成した場合には、生成冷気と循環冷気との間の熱交換が促進されるようになる。なお、生成冷気供給路形成部材１１を金属製の部材にて形成する場合には、結露による腐食を防止するために、防錆効果の高いアルミニウム合金やステンレス合金を採用することが望ましい。
【００３９】
一方、上述した循環冷気供給路形成部材１３は、樹脂製の部材によって形成されていることが好ましい。このように構成することにより、高い断熱効果得られるようになり、冷蔵室５の後背面５ｂにおける結露の発生を防止することができる。
【００４０】
（実施の形態２）
図６は、本発明の実施の形態２におけるスターリング冷却庫の冷気吹出口近傍の拡大断面図であり、冷気の流れを示す図である。なお、上述の実施の形態１におけるスターリング冷却庫と同様の部分については図中同一の符号を付し、その説明はここでは繰り返さない。
【００４１】
図６に示すように、本発明の実施の形態２におけるスターリング冷却庫１Ｂは、上述の実施の形態１におけるスターリング冷却庫１Ａとほぼ同様の冷気供給路の構成を有しているが、突条部１０内において生成冷気供給路１２と循環冷気供給路１４とが一部連通している点においてその構成を異にしている。具体的には、生成冷気供給路形成部材１１の両側端部に開口部１１ｂが設けられ、この開口部１１ｂを介して、生成冷気供給路１２の両側方通路１２ｂと循環冷気供給路１４とが連通している。
【００４２】
このように構成することにより、本実施の形態におけるスターリング冷却庫１Ｂにおいては、冷蔵室５内に設けられる生成冷気と循環冷気との混合領域Ａとは別に、側方通路１２ｂの突条部１０内の外側部分において生成冷気と循環冷気とが混合する混合領域Ｂが設けられることになり、より確実に生成冷気と循環冷気とが混合されるようになる。そのため、より確実に生成冷気を加温することが可能になるため、冷蔵室５における過冷却が防止できる。したがって、冷蔵室５の壁面における結露の発生や貯蔵食品の意図しない凍結がより確実に防止できるようになる。
【００４３】
（実施の形態３）
図７は、本発明の実施の形態３におけるスターリング冷却庫の冷気吹出口近傍の拡大断面図であり、冷気の流れを示す図である。なお、上述の実施の形態１におけるスターリング冷却庫と同様の部分については図中同一の符号を付し、その説明はここでは繰り返さない。
【００４４】
図７に示すように、本発明の実施の形態３におけるスターリング冷却庫１Ｃは、上述の実施の形態１におけるスターリング冷却庫１Ａとほぼ同様の構成を有しているが、突条部１０の側方部分の形状においてその構成を異にしている。具体的には、循環冷気供給路形成部材１３の頂面１３ａの側端が冷蔵室５の側面に向かって延設されており、この延設された部分にて仕切り板１３ｂが形成されている。この仕切り板１３ｂにより、冷蔵室５内の空間が前後方向に区画され、仕切り板１３ｂと冷蔵室５の後背面５ｂとの間に混合領域Ａが形成されている。また、仕切り板１３ｂは、冷蔵室５を前方から見た場合に、冷蔵室５の後背面５ｂに設けられた風向変更部１３ｃを覆うように形成されている。
【００４５】
このように構成することにより、本実施の形態におけるスターリング冷却庫１Ｃにおいては、循環冷気吹出口１４ｃから冷蔵室５に向かって吹き出された循環冷気が仕切り板１３ｂの裏面に沿って進むようになるため、生成冷気吹出口１２ｃから吹き出されて風向変更部１３ｃによって斜め前方に進むように風向きが変更された生成冷気とより確実に混じり合うようになる。したがって、より確実に生成冷気を加温することが可能になるため、冷蔵室５における過冷却が確実に防止でき、冷蔵室５の壁面における結露の発生や貯蔵食品の意図しない凍結がより確実に防止できるようになる。また、風向変更部１３ｃが仕切り板１３ｂによって目隠しされるため、冷蔵室５の後背面５ｂにおける見栄えが損なわれることもない。
【００４６】
（実施の形態４）
図８は、本発明の実施の形態４におけるスターリング冷却庫の冷気吹出口近傍の拡大断面図であり、冷気の流れを示す図である。なお、上述の実施の形態３におけるスターリング冷却庫と同様の部分については図中同一の符号を付し、その説明はここでは繰り返さない。
【００４７】
図８に示すように、本発明の実施の形態４におけるスターリング冷却庫１Ｄは、上述の実施の形態３におけるスターリング冷却庫１Ｃとほぼ同様の構成を有しているが、仕切り板１３ｂの裏面の形状においてその構成を異にしている。具体的には、仕切り板１３ｂの裏面に突起部１３ｄが形成されており、この突起部１３ｄによって循環冷気吹出口１４ｃから吹き出された循環冷気の風向が斜め後方に変更されるように構成されている。
【００４８】
このように構成することにより、本実施の形態におけるスターリング冷却庫１Ｄにおいては、循環冷気吹出口１４ｃから冷蔵室５に向かって吹き出された循環冷気が仕切り板１３ｂの裏面に沿って進み、突起部１３ｄによってその風向が一部斜め後方に変更されるため、生成冷気吹出口１２ｃから吹き出されて風向変更部１３ｃによって斜め前方に進むように風向きが変更された生成冷気とより確実に混じり合うようになる。したがって、より確実に生成冷気を加温することが可能になるため、冷蔵室５における過冷却が確実に防止でき、冷蔵室５の壁面における結露の発生や貯蔵食品の意図しない凍結がより確実に防止できるようになる。
【００４９】
（実施の形態５）
図９は、本発明の実施の形態５におけるスターリング冷却庫の冷気吹出口近傍の拡大断面図であり、冷気の流れを示す図である。なお、上述の実施の形態３におけるスターリング冷却庫と同様の部分については図中同一の符号を付し、その説明はここでは繰り返さない。
【００５０】
図９に示すように、本発明の実施の形態５におけるスターリング冷却庫１Ｅは、上述の実施の形態３におけるスターリング冷却庫１Ｃとほぼ同様の構成を有しているが、仕切り板１３ｂの形状においてその構成を異にしている。具体的には、仕切り板１３ｂの内部に空間が形成されるように循環冷気供給路形成部材１３を折り曲げ加工することによって仕上げ、仕切り板１３ｂの後方側に位置する面に循環冷気吹出口１４ｃが設けられている。
【００５１】
このように構成することにより、本実施の形態におけるスターリング冷却庫１Ｅにおいては、循環冷気吹出口１４ｃから冷蔵室５に向かって吹き出された循環冷気が斜め後方に向かって吹き出されるようになるため、生成冷気吹出口１２ｃから吹き出されて風向変更部１３ｃによって斜め前方に進むように風向きが変更された生成冷気とより確実に混じり合うようになる。したがって、より確実に生成冷気を加温することが可能になるため、冷蔵室５における過冷却が確実に防止でき、冷蔵室５の壁面における結露の発生や貯蔵食品の意図しない凍結がより確実に防止できるようになる。
【００５２】
以上において例示した本発明の実施の形態１ないし５におけるスターリング冷却庫１Ａ〜１Ｅにおいては、冷蔵室に供給される生成冷気に冷蔵室の循環冷気を混合させるように構成した場合を例示して説明を行なったが、本発明はこのような適用例に限定されるものではない。本発明の如くの冷気供給路の構成が適用可能な冷却室としては、野菜室やチルド室、製氷室、冷凍室など、冷却庫に設けられるすべての冷却室が挙げられる。これは、スターリング冷却庫においては、スターリング冷凍機の冷凍性能が非常に高いため、貯蔵食品を凍結保存することを目的とした冷凍室や製氷を行なうことを目的とした製氷室にも適用が考えられるためである。
【００５３】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００５４】
【図１】本発明の実施の形態１におけるスターリング冷却庫の概略正面図である。
【図２】本発明の実施の形態１におけるスターリング冷却庫の図１に示すＩＩ−ＩＩ線に沿った概略縦断面図である。
【図３】本発明の実施の形態１におけるスターリング冷却庫の冷蔵室後方に設けられる冷気供給路の構成および冷気の流れを示す正面図である。
【図４】本発明の実施の形態１におけるスターリング冷却庫の図３に示すＩＶ−ＩＶ線に沿った概略横断面図である。
【図５】本発明の実施の形態１におけるスターリング冷却庫の図４に示す冷気吹出口近傍の拡大断面図であり、冷気の流れを示す図である。
【図６】本発明の実施の形態２におけるスターリング冷却庫の冷気吹出口近傍の拡大断面図であり、冷気の流れを示す図である。
【図７】本発明の実施の形態３におけるスターリング冷却庫の冷気吹出口近傍の拡大断面図であり、冷気の流れを示す図である。
【図８】本発明の実施の形態４におけるスターリング冷却庫の冷気吹出口近傍の拡大断面図であり、冷気の流れを示す図である。
【図９】本発明の実施の形態５におけるスターリング冷却庫の冷気吹出口近傍の拡大断面図であり、冷気の流れを示す図である。
【図１０】従来例における冷却庫の冷気供給路の構成および冷気の流れを示す正面図である。
【図１１】図１０に示す冷却庫に設置される冷気取り出しのための送風ファン近傍の部分断面図である。
【符号の説明】
【００５５】
１Ａ〜１Ｅ  スターリング冷却庫、２  外箱、３  冷凍室、３ａ  収容器、３ｃ  冷気吸込口、５  冷蔵室、５ａ１  収容器、５ａ２  収容棚、５ｂ  後背面、５ｃ  側面、６，７  断熱扉、８  冷気回収路、８ａ  冷気吸込口、９  冷気生成部、１０  突条部、１１  生成冷気供給路形成部材、１１ａ  リブ、１１ｂ  開口部、１２  生成冷気供給路、１２ａ  中央通路、１２ｂ  側方通路、１２ｃ  生成冷気吹出口、１３  循環冷気供給路形成部材、１３ａ  頂面、１３ｂ  仕切り板、１３ｃ  風向変更部、１３ｄ  突起部、１４  循環冷気供給路、１４ｃ  循環冷気吹出口、１６  送風ファン、１８  ファンカバー、１８ａ  開口部、２６  送風ファン、１００  スターリング冷凍機、１０２  高温側蒸発器、１０４  低温側凝縮器、１１０  低温側蒸発器、Ａ，Ｂ  混合領域。
【図１】
2006336946.tif 000003
【図２】
2006336946.tif 000004
【図３】
2006336946.tif 000005
【図４】
2006336946.tif 000006
【図５】
2006336946.tif 000007
【図６】
2006336946.tif 000008
【図７】
2006336946.tif 000009
【図８】
2006336946.tif 000010
【図９】
2006336946.tif 000011
【図１０】
2006336946.tif 000012
【図１１】
2006336946.tif 000013